(57)【要約】【課題】本発明は、手動錠に取り付けてドアを開閉する電動錠装置及びその電動錠装置の機能設定方法を開示する。【解決手段】本発明に係る電動錠装置における第１のサムターンブロックと第２のサムターンブロックは、独立して単独で回転できる形態で結合し、結合ピンが第１のサムターンブロックと第２のサムターンブロックを連結して形成されたピン孔に挿入されたり分離される。結合ピンが分離された状態で第１のサムターンブロック又は第２のサムターンブロックを回転させて機能を設定及び変更し、結合ピンがピン孔に装着されることにより、第１のサムターンブロックと第２のサムターンブロックは、単独で回転できないように連結される。【選択図】図３
2019183606.tif 000002
【特許請求の範囲】
【請求項１】
ドアに既に設置された手動錠と連結軸で結合する電動錠装置であって、
代替サムターンに連結され、結合溝が形成された第１のサムターンブロックと、
一端が結合軸上で前記第１のサムターンブロックと独立して単独で回転できる形態で結合し、他端に前記連結軸が挿入される連結孔が形成され、前記連結孔から延長されて前記結合溝と連結される貫通孔が形成された第２のサムターンブロックと、
前記連結孔を介して前記結合溝と貫通孔が形成されるピン孔に挿入されたり分離され、前記ピン孔に挿入されると、前記第１のサムターンブロックと第２のサムターンブロックが単独で回転できないように連結する結合ピンと、を含むことを特徴とする、
電動錠装置。
【請求項２】
前記結合ピンが挿入された後に前記連結孔に挿入されることにより、前記結合ピンと連結軸との間で前記結合ピンが前記結合溝と貫通孔から離脱しないように支持する支持部材をさらに含むことを特徴とする請求項１に記載の電動錠装置。
【請求項３】
前記支持部材は、前記結合ピンに形成されたスプリング溝に一端が収容されるスプリングであることを特徴とする請求項２に記載の電動錠装置。
【請求項４】
前記スプリングの中心部に差し込まれ、前記スプリングの圧縮をガイドするスプリングホルダをさらに含み、前記スプリングホルダは、前記スプリングの中心部が差し込まれる柱状の胴部と、前記胴部の一側に設けられ、前記スプリングの一側を前記胴部に固定する突起と、前記胴部の一端に設けられ、前記スプリングが前記胴体から離脱しないように遮断するヘッドと、を備えることを特徴とする請求項３に記載の電動錠装置。
【請求項５】
請求項１に記載の電動錠装置の機能設定方法において、
前記結合ピンが前記ピン孔から分離された状態で、前記代替サムターンを回転させて前記第１のサムターンブロックを第２の位置に回転させることにより、機能設定を変更するステップと、
前記機能変更ステップの後に、前記結合ピンを前記連結孔を介して前記ピン孔に挿入して前記設定変更を固定するステップと、
前記設定変更を固定した後に、前記連結軸を前記連結孔に差し込んで前記手動錠と結合するステップと、を含むことを特徴とする、
電動錠装置の機能設定方法。
【請求項６】
前記結合ステップは、前記設定変更を固定するステップの後に、スプリングを前記結合ピンに形成されたスプリング溝と前記連結軸との間にスプリングを挿入することにより、前記結合ピンが前記結合溝と貫通孔から離脱しないように支持することを特徴とする請求項５に記載の電動錠装置の機能設定方法。
【発明の詳細な説明】
【技術分野】
【０００１】
本発明は、ドアに設置されてデッドボルト（Ｄｅａｄ  Ｂｏｌｔ）を開閉する方式でドアを開閉する手動錠（Ｍａｎｕａｌ  Ｄｏｏｒ  Ｌｏｃｋ）に装着して手動錠装置のサムターンを制御する錠装置に関し、左勝手／右勝手の設定を含む各種設定を容易にできるように構成したドア用錠装置に関するものである。
【背景技術】
【０００２】
ドアに設置されたデッドボルト（Ｄｅａｄ  Ｂｏｌｔ）を用いてドアを開閉する錠装置（Ｄｏｏｒ  Ｌｏｃｋ）は、電動式と手動式がある。
【０００３】
手動であっても電動であっても、戸枠に形成された溝にデッドボルトを嵌める方式で施錠し、溝からデッドボルトを抜く方式で解錠する。ただし、手動錠は、ドアの内側に設けられたサムターン（Ｔｈｕｍｂ  Ｔｕｒｎ）を手動で回転させてデッドボルトを駆動し、電動錠は、モータなどの回転力を利用してデッドボルトを駆動する点が異なる。
【０００４】
従来、ドアに設置された手動錠を電動方式に変更するためには、（１）手動錠全体を除去した後に電動錠を設置したり、（２）手動錠に電動錠を取り付けていた。方式（１）の電動錠は、内部にデッドボルトを備えている。方式（２）の電動錠は、手動錠のサムターンに連結して手動錠のデッドボルトをそのまま使用する。したがって、この方式の電動錠は、別にデッドボルトを備える必要がないので、構造が簡単であり、ドアに既に設置されている手動錠を分離しなくても良いので、工事も容易であるという利点がある。
【０００５】
一方、ドアには左勝手と右勝手がある。問題は、デッドボルトの進出方向が左勝手と右勝手に応じて変わるので、デッドボルトを駆動する駆動軸（又はモータ）の回転方向（電動錠を基準に）も左勝手と右勝手に合わせて設定する必要があるということである。
【０００６】
図１を参照する。（ａ）は右勝手であり、（ｂ）は左勝手である。ドアの内側である室内に位置した人から見ると、右勝手は、ヒンジが右に位置したドア１ａであるため、右手を使って開放しなければならない。したがって、錠１０ａもデッドボルト１１ａが左に突出するように右勝手に設定する。
図１の（ｂ）を参照する。ドアの内側である室内に位置した人から見ると、左勝手は、ヒンジが左側に位置したドア１ｂであるため、左手を使って開放しなければならない。したがって、錠１０ｂは、デッドボルト１１ｂが右に突出するように左勝手に設定する。
【０００７】
従来のほとんどの電動錠は、設定変更によって右勝手と左勝手を変えることができる。例えば、左右勝手の設定に応じて、モータの回転方向を変え、ドアの開閉に対応するデッドボルトの位置を異なって認識する方法で、左勝手又は右勝手として作動することができる。左右勝手の設定方法は、設定スイッチの操作を使用する方法が広く用いられているが、このような方法は、一般の使用者も簡単に設定を変えることができるという問題がある。
【０００８】
一方、特許文献１に開示されている錠装置は、扉に既設手動錠装置の操作部材に連結されるサムターンコアと、新設サムターンに連結されるサムターンベースと、サムターンコアとサムターンベースを相対回転不能な形で連結する切替軸を備える。
切替軸は、サムターンコアとサムターンベースとの間に分離不可能な形で内蔵され、共に内蔵されたスプリングによって支持される。錠装置の奥側に工具によって切替軸を押圧して軸線方向にスライドさせるとサムターンコアとサムターンベースとの連結が解除される。この状態で、工具を回転させてサムターンコアだけを回転させることにより、左右勝手を設定する方式である。工具を除去すると、圧縮されたスプリングが復元され、スライドされた切替軸も元の位置に復元し、サムターンコアとサムターンベースとの連結も復元される。この特許の方法は、有用であり、且つ便利である。ただし、内部にスプリングと切替軸を備えるなど、その構造が複雑であり、それにスプリングや切替軸が故障した場合の修理も容易ではない。
【先行技術文献】
【特許文献】
【０００９】
【特許文献１】日本登録特許第６０６２６４９号公報（錠装置及び錠装置の機能設定方法）
【発明の概要】
【発明が解決しようとする課題】
【００１０】
本発明の目的は、ドアに既に設置された手動錠（Ｍａｎｕａｌ  Ｄｏｏｒ  Ｌｏｃｋ）に結合される錠装置であって、管理者は、機能（例えば、左勝手／右勝手の設定）を容易に設定することができるが、使用者は、簡単にその設定を変更できないように構成した電動錠装置を提供することにある。
【００１１】
本発明の他の目的は、電動錠装置の機能設定方法を提供することにある。
【課題を解決するための手段】
【００１２】
上記の目的を達成するための本発明に係る電動錠装置は、ドアに既に設置された手動錠と連結軸により結合して手動錠を制御することができる。
【００１３】
本発明の電動錠装置は、手動錠の既存サムターンを代替する代替サムターンに連結され、結合溝が形成された第１のサムターンブロックと、一端が結合軸上で前記第１のサムターンブロックと独立して単独で回転できる形態で結合し、他端に前記連結軸が挿入される連結孔が形成された第２のサムターンブロックと、を含む。第２のサムターンブロックには、前記連結孔から延長されて前記結合溝と連結される貫通孔が形成される。本発明の電動錠装置には、前記連結孔を介して前記結合溝と貫通孔が形成されるピン孔に挿入されたり分離される結合ピンを含む。ピン孔に差し込まれた結合ピンは、前記第１のサムターンブロックと第２のサムターンブロックが単独で回転できないように連結する。
【００１４】
実施例により、本発明の電動錠装置は、前記結合ピンが挿入された後に前記連結孔に挿入されることにより、前記結合ピンと連結軸との間で前記結合ピンが前記結合溝と貫通孔から離脱しないように支持する支持部材をさらに含むことができる。例えば、前記支持部材は、前記結合ピンに形成されたスプリング溝に一端が収容されるスプリングである。
【００１５】
他の実施例により、本発明の電動錠装置は、前記スプリングの中心部に差し込まれ、前記スプリングの圧縮をガイドするスプリングホルダをさらに含むことができる。前記スプリングホルダは、前記スプリングの中心部が差し込まれる柱状の胴部と、前記胴部の一側に設けられ、前記スプリングの一側を前記胴部に固定する突起と、前記胴部の一端に設けられ、前記スプリングが前記胴部から離脱しないように遮断するヘッドとを備える。
【００１６】
本発明は、前記電動錠装置の機能設定方法を提供する。本発明の方法は、前記結合ピンが分離された状態で、前記連結孔を介して工具を挿入して前記第２のサムターンブロックを第２の位置に回転させたり、前記代替サムターンを回転させて前記第１のサムターンブロックを前記第２の位置に対応する位置に回転させることにより、機能設定を変更するステップと、前記機能変更ステップの後に、前記結合ピンを前記連結孔を介して前記ピン孔に挿入して前記設定変更を固定するステップと、前記設定変更を固定した後に、前記連結軸を前記連結孔に差し込んで前記手動錠と結合するステップとを含む。
【発明の効果】
【００１７】
本発明の電動錠装置は、ドアに既に設置された手動錠に結合する方式で設置することができ、電動で手動錠に内蔵されたデッドボルトを駆動することができる。
【００１８】
設置者は、本発明の電動錠を設置するときに、電動錠の機能（又は動作）に関連して複数の選択事項のうちいずれかを選択することができる。例えば、設置者は、手動錠と連結する前にサムターンを回転する方法で電動錠が左勝手に作動するか、或いは右勝手に作動するかを設定することができる。一旦設置した後は、再び分解しない限り、その設定を変更することができないので、一般の使用者は、その選択を容易に変更することができない。
【００１９】
なお、本発明の電動錠は、結合ピンをピン孔から除去した状態で機能設定をし、機能設定の後に初めて結合ピンを挿入するので、結合ピンが錠装置の内部で機能故障を起こす危険がなく、機能故障があっても容易に交換して使用することができる。
【図面の簡単な説明】
【００２０】
【図１】左勝手及び右勝手ドアを示す図である。
【図２】本発明の電動錠装置の外観図である。
【図３】本発明の電動錠装置の部分断面図（手動錠と結合する前）である。
【図４】手動錠と結合した状態の電動錠装置の部分断面図である。
【図５】第１のサムターンブロック、第２のサムターンブロック及び結合ピンの分解斜視図である。
【図６】本発明による左右勝手の設定方法の説明に提供されるフローチャートである。
【図７】本発明の他の実施例による電動錠装置の部分断面図である。
【図８】図７に適用されたスプリングホルダを示す図である。
【発明を実施するための形態】
【００２１】
以下、図面を参照して本発明の実施例をさらに詳しく説明するが、本発明はこれらの実施例により限定されるものではない。
【００２２】
図２を参照する。本発明の電動錠装置１００は、ドア３０に既に設置された手動錠１０と結合し、手動錠１０のデッドボルト１１を駆動してドア３０を開閉する。ここで、手動錠１０は、外力により、既存サムターン１５が回転しながら、内部のデッドボルト１１がドア３０に設置されたストライク（図示せず）に挿入される形態でドア３０を開閉する従来の錠装置である。手動錠１０の既存サムターン１５は、本発明の電動錠装置１００を結合するときに除去され、その代わりに電動錠装置１００が代替サムターン１０１を有している。
【００２３】
本発明の電動錠装置１００と手動錠１０との連結には、連結軸１７を用いる。電動錠装置１００の本体１０３の背面には、連結軸１７を挿入するための連結孔１０５が設けられている。連結孔１０５の断面は、円形は好ましくなく、例えば、図示したように、十字形や多角形が望ましい。先ず、手動錠１０の既存サムターン１５を除去した後だるま形状溝１３が開放されると、連結軸１７の一端は、手動錠１０のだるま形状溝１３に差し込み、他端は、電動錠装置１００に差し込む。連結孔１０５とだるま形状溝１３の両方は円形状ではないので、連結軸１７は、電動錠装置１００及び手動錠１０と一体に結合されて同時に回転するように結合され、電動錠装置１００と手動錠１０のいずれも単独で回転することができない。
【００２４】
図３〜図５を参照する。本発明の電動錠装置１００は、本体１０３の前面に、既存サムターン１５に代わる代替サムターン１０１があり、本体１０３には、第１のサムターンブロック１１０、第２のサムターンブロック１３０及びセンサ部１５０が内蔵され、結合ピン１７１と支持部材が結合する。
図３〜図５には、支持部材としてスプリング１７３を用いた例が示されている。その他にも、電動錠装置１００も、従来の電動錠のように、回転力を作るモータ（図示せず）と、モータの回転力を連結軸１７に伝達するギア系（図示せず）を有しているが、このような構成は、本発明を説明するために必須的なものではないので、図示せずに、その説明も簡単にするか、或いは省略する。
【００２５】
代替サムターン１０１は、第１のサムターンブロック１１０に結合されており、使用者が代替サムターン１０１を回転させると、第１のサムターンブロック１１０も同様に回転する。以下で説明するように、電動錠装置１００が手動錠１０に設置されると、第１のサムターンブロック１１０と第２のサムターンブロック１３０のそれぞれは、単独で回転することができなくなるので、代替サムターン１０１の回転力は、第１のサムターンブロック１１０を介して第２のサムターンブロック１３０に同一に伝達される。
【００２６】
第１のサムターンブロック１１０は、代替サムターン１０１の回転によって仮想の結合軸（ｘ）を中心に回転することができるが、結合軸（ｘ）方向に動いたり、スライドしない。第１のサムターンブロック１１０の一端は、代替サムターン１０１に連結され、他端は、第２のサムターンブロック１３０と結合する。第１のサムターンブロック１１０は、結合ピン１７１により相互連結される前には、第２のサムターンブロック１３０とは別に単独で回転することができる。
【００２７】
第２のサムターンブロック１３０と結合する他端部分は、第２のサムターンブロック１３０の円形の第１の収容孔１３１に挿入される円柱状であり、結合軸（ｘ）に沿って結合ピン１７１が挿入される結合溝１１３が形成される。図３のように、第１のサムターンブロック１１０は、外周に沿って形成されたガイド１１１を備えることができる。
【００２８】
結合溝１１３は、第２のサムターンブロック１３０の貫通孔１３５と共に結合ピン１７１を収容するピン孔１１５を形成する。図５を参照する。結合溝１１３は、円柱の形状ではないので、第１のサムターンブロック１１０が結合溝１１３に挿入された結合ピン１７１と独立して単独で回転することができない。図５に示した例には、結合溝１１３が正方形の断面として開示されているが、これに限定されない。例えば、六角形の断面を有する結合溝１１３も可能である。
結合溝１１３の断面は、貫通孔１３５と同一であるか、或いは貫通孔１３５内に含まれることにより、連結孔１０５を介して挿入される結合ピン１７１が貫通孔１３５と結合溝１１３に挿入できるように構成すれば良い。
【００２９】
第２のサムターンブロック１３０は、第１のサムターンブロック１１０と同一の結合軸（ｘ）上に配置され、一端は、第１のサムターンブロック１１０と結合し、他端は、連結軸１７と結合する。第２のサムターンブロック１３０には、モータ（図示せず）に連動するギアの組み合わせ（図示せず）を有しているので、第２のサムターンブロック１３０は、モータの回転によって一定の回転区間を回転することになり、連結軸１７が同様に回転する。
連結軸１７の回転によって、手動錠１０は、デッドボルト１１を動かす。モータの回転を制御するために、第２のサムターンブロック１３０には、センサ部１５０が設けられる。例えば、センサ部１５０は、第２のサムターンブロック１３０と同様に回転する磁石１５１と、一定の間隔で配置され、磁石１５１を感知する孔センサ（Ｈａｌｌ  Ｓｅｎｓｏｒ）１５３などで実現することができる。
【００３０】
第２のサムターンブロック１３０の一端には、結合軸（ｘ）に沿って第１のサムターンブロック１１０を収容するための円形の第１の収容孔１３１が形成される。もし、図３に示したように、第１のサムターンブロック１１０にガイド１１１があれば、直径がより大きい第２の収容孔１３３を第１の収容孔１３１と共に多段に形成することができる。
【００３１】
第１の収容孔１３１の中心部には、仮想の結合軸（ｘ）を中心線として有する貫通孔１３５が形成される。貫通孔１３５の一端は結合溝１１３と接し、他端は連結孔１０５と接する。図５に示したように、貫通孔１３５は、円形ではない断面を有することにより、結合ピン１７１が貫通孔１３５に挿入された後は、第２のサムターンブロック１３０が結合ピン１７１と独立して単独で回転することができない。
又、貫通孔１３５は、少なくとも結合溝１１３と同一の形状の断面を有するか、或いは結合溝１１３の断面を含む形状の断面を有することが望ましい。例えば、図５には、結合溝１１３と同一の正方形の断面を有する貫通孔１３５が形成される例を挙げる。
【００３２】
結合ピン１７１は、結合溝１１３と貫通孔１３５が形成するピン孔１１５に内接する形態で挿入されるので、ピン孔１１５の形状が結合ピン１７１の形状となる。例えば、図５のように、結合ピン１７１は、ピン孔１１５の形状に従って四角柱状である。結合ピン１７１は、ピン孔１１５に挿入されたとき、結合溝１１３から貫通孔１３５に同時に差し込まれる程度の長さを有することが望ましい。
第１のサムターンブロック１１０と第２のサムターンブロック１３０のそれぞれは、単独で回転できるように組み立てられるが、結合ピン１７１が、結合溝１１３と貫通孔１３５が形成するピン孔１１５に挿入された後には単独で回転することができなくなる。
【００３３】
この際、結合ピン１７１を挿入して第１のサムターンブロック１１０と第２のサムターンブロック１３０を結合するためには、結合溝１１３の入口と貫通孔１３５の入口が合わせられた１つのピン孔１１５を形成しなければならない。もし、ピン孔１１５の断面が正方形であれば、第１のサムターンブロック１１０と第２のサムターンブロック１３０は、４つの相対回転角（０°、９０°、１８０°、２７０°）に結合することができる。この際、それぞれの相対回転角は、特定の機能の選択が可能な項目に対応することができる。
もし、第２のサムターンブロック１３０を固定させた状態で、代替サムターン１０１で第１のサムターンブロック１１０を回転させて機能を設定し、代替サムターン１０１の回転角を最大９０°に制限する場合は、９０°の差がある２つの項目を選択することができる。例えば、左勝手又は右勝手を設定する場合は、第２のサムターンブロック１３０が固定された状態で、第１のサムターンブロック１１０を９０°で時計回り又は反時計回りに回転させて左勝手や右勝手を設定することができる。
【００３４】
実施例により、機能の設定のために、第２のサムターンブロック１３０を固定させた状態で、代替サムターン１０１で第１のサムターンブロック１１０を回転させる場合の他にも、第１のサムターンブロック１１０を固定させた状態で、連結孔１０５を介して挿入した別の器具で第２のサムターンブロック１３０を回転させることもできる。この際、器具の端部は、貫通孔１３５に内接する形状であることが望ましい。
【００３５】
結合ピン１７１をピン孔１１５に挿入して機能設定を完了した後、支持部材、すなわち、スプリング１７３が連結孔１０５を介して挿入されて結合ピン１７１を支持する。
連結軸１７の連結孔１０５に挿入される長さがドア３０の厚さ、又は手動錠１０ごとに異なる場合があるので、本発明の電動錠装置１００を手動錠１０に設置完了した後にも、ピン孔１１５に挿入された結合ピン１７１と連結軸１７との間に隙間が生じることがある。このように、結合ピン１７１と連結軸１７との隙間が広がるにつれ結合ピン１７１がピン孔１１５から離脱することを防止するために、支持部材が差し込まれる。図３では支持部材としてスプリング１７３を用いたが、これに限定されない。例えば、スプリング１７３に代わってスペーサ（Ｓｐａｃｅｒ）などを支持部材として用いることができる。
【００３６】
スプリング１７３を用いる場合、図３及び図４に示したように、結合ピン１７１には、スプリング１７３の一端を挿入するためのスプリング溝１７１Ａａを設けることができる。
【００３７】
一方、実施例により、スプリング溝１７１ａの内面に雌ネジを加工することもできる。例えば、設定変更の必要に応じて、ピン孔１１５に挿入された結合ピン１７１を取り出そうとするとき、端部にネジ山が形成された器具をスプリング溝１７１ａにネジ結合することで、結合ピン１７１を容易に取り出すことができる。
【００３８】
＜機能設定方法＞
以下では、機能設定の一例として、図６を参照して左右勝手の設定方法について説明する。ピン孔１１５の断面が、図５に示したように、四角形であり、左勝手と右勝手の設定は、第１のサムターンブロック１１０と第２のサムターンブロック１３０の相対回転角がそれぞれ０°と９０°で結合された状態に対応する。
【００３９】
センサ部１５０の孔センサ１５３は、９０°に離隔された第１の位置と第２の位置にそれぞれ設置され、第２のサムターンブロック１３０の回転を認識するように構成されたと仮定する。ドア３０は、左勝手であると仮定する。    
【００４０】
＜設定確認：Ｓ６０１＞
結合ピン１７１がピン孔１１５から除去された状態で、設置者が電動錠装置１００の現在の左右勝手の設定状態を確認するために、断面の形成が四角形である工具を貫通孔１３５と結合溝１１３に挿入した状態で代替サムターン１０１を操作してみることで、電動錠装置１００の現在の左右勝手の設定状態を確認することができる。もし、電動錠装置１００の現在の設定が、現在のドアの左右勝手状態と一致する場合は、そのまま組み立てれば良い。
【００４１】
＜設定変更：Ｓ６０３、Ｓ６０５＞
電動錠装置１００の現在の設定が現在のドア状態と一致しない場合は、設定を変更しなければならない（Ｓ６０３）。      
【００４２】
結合ピン１７１を結合する前であるので、第１のサムターンブロック１１０と第２のサムターンブロック１３０のそれぞれは、単独で回転することができる。設定の変更のために、第２のサムターンブロック１３０をそのまま放置した状態で、設置者が代替サムターン１０１を９０°で時計回り（又は反時計回り）に回転させる。代替サムターン１０１の回転によって第１のサムターンブロック１１０が９０°に回転して再びピン孔１１５を合わせることにより、電動錠装置１００の動作が右勝手に転換される。図４の（ａ）のような状態となる（Ｓ６０５）。
【００４３】
＜設定状態の固定：Ｓ６０７〜Ｓ６１１＞
結合溝１１３の入口と貫通孔１３５の入口が合わせられてピン孔１１５が形成されると、設置者は、図４の（ｂ）のように、結合ピン１７１を本体１０３の背面に開放されている連結孔１０５を介してピン孔１１５に挿入する。結合ピン１７１がピン孔１１５に挿入されると、第１のサムターンブロック１１０と第２のサムターンブロック１３０を用いた設定変更が固定される。結合ピン１７１がピン孔１１５に挿入された後は、第１のサムターンブロック１１０と第２のサムターンブロック１３０のそれぞれは、単独で回転することができなくなる（Ｓ６０７）。
【００４４】
次に、図４の（ｂ）のように、スプリング１７３を結合ピン１７１のスプリング溝１７１ａに挿入し（Ｓ６０９）、連結軸１７の一端を連結孔１０５に挿入することにより、既存サムターン１５が除去された手動錠１０と結合する（Ｓ６１１）。
【００４５】
（実施例１）
図７及び図８を参照する。本発明の電動錠装置１００は、スプリング１７３の中心部に差し込まれてスプリング１７３の圧縮をガイドし支持するスプリングホルダ７１０をさらに備えることができる。
【００４６】
スプリングホルダ７１０は、スプリング１７３に挿入される柱状（例えば、円柱状）の胴部７１１と、胴部７１１の一側に設けられ、スプリング１７３を掛けて胴部７１１に固定する突起７１３（又はフック）と、胴部７１１の一端に設けられ、スプリング１７３の離脱を防止するヘッダ７１５とを備える。胴部７１１の長さは、スプリング１７３が最大圧縮された状態の長さよりも短いことが望ましい。
【００４７】
ステップＳ６０７で、スプリング１７３を結合ピン１７１のスプリング溝１７１Ａａに挿入する前に、スプリング１７３をスプリングホルダ７１０の胴部７１１に結合し、突起７１３とヘッド７１５との間に係止して固定する。その後に、スプリングホルダ７１０に結合された状態のスプリング１７３を結合ピン１７１のスプリング溝１７１ａに挿入する。
【００４８】
スプリングホルダ７１０は、スプリング１７３の圧縮過程で発生し得る異常圧縮を防止する。上述したように、組み立てられた状態で結合ピン１７１と連結部材１７との離隔距離は、ドアの厚さや手動錠装置１０によって異なることになる。したがって、本発明で用いられるスプリング１７３の長さは、結合ピン１７１と連結部材１７が離隔されることを考慮して十分長くする。この際、スプリング１７３の縦横比（直径対比の長さ）が一定の倍数以上に大きくなると、スプリング１７３が圧縮過程で正常に圧縮されない恐れがある。
スプリングホルダ７１０は、スプリング１７３に差し込まれた状態で、スプリング１７３を支持することにより、スプリング１７３の圧縮を案内する役割をする。又、スプリングホルダ７１０は、設置過程でのスプリング１７３の紛失を防止する。
【符号の説明】
【００４９】
１０  手動錠
１１  デッドボルト
１７  連結軸
３０  ドア
１００  電動錠装置
１０１  代替サムターン
１０３  本体
１０５  連結孔
１１０  第１のサムターンブロック
１１１  ガイド
１１３  結合溝
１１５  ピン孔
１３０  第２のサムターンブロック
１３１  第１の収容孔
１３３  第２の収容孔
１３５  貫通孔
１５０  センサ部
１５１  磁石
１５３  孔センサ
１７１  結合ピン
１７３  スプリング
７１０  スプリングホルダ
７１１  胴部（スプリングホルダ）
７１３  突起（スプリングホルダ）
７１５  ヘッド（スプリングホルダ）
【図１】
2019183606.tif 000003
【図２】
2019183606.tif 000004
【図３】
2019183606.tif 000005
【図４】
2019183606.tif 000006
【図５】
2019183606.tif 000007
【図６】
2019183606.tif 000008
【図７】
2019183606.tif 000009
【図８】
2019183606.tif 000010
【手続補正書】
【提出日】令和1年5月27日(2019.5.27)
【手続補正１】
【補正対象書類名】特許請求の範囲
【補正対象項目名】全文
【補正方法】変更
【補正の内容】
【特許請求の範囲】
【請求項１】
ドアに既に設置された手動錠と連結軸で結合する電動錠装置であって、
代替サムターンに連結され、結合溝が形成された第１のサムターンブロックと、
一端が結合軸上で前記第１のサムターンブロックと独立して単独で回転できる形態で結合し、他端に前記連結軸が挿入される連結孔が形成され、前記連結孔から延長されて前記結合溝と連結される貫通孔が形成された第２のサムターンブロックと、
前記連結孔の同軸線上に前記結合溝と貫通孔が形成されるピン孔に挿入可能であり、前記ピン孔に挿入されると、前記第１のサムターンブロックと第２のサムターンブロックが単独で回転できないように連結する結合ピンと、
前記結合ピンが挿入された後に前記連結孔に挿入されることにより、前記結合ピンと連結軸との間で前記結合ピンが前記結合溝と貫通孔から離脱しないように支持する支持部材とを含むことを特徴とする、
電動錠装置。
【請求項２】
前記支持部材は、前記結合ピンに形成されたスプリング溝に一端が収容されるスプリングであることを特徴とする請求項１に記載の電動錠装置。
【請求項３】
前記スプリングの中心部に差し込まれ、前記スプリングの圧縮をガイドするスプリングホルダをさらに含み、前記スプリングホルダは、前記スプリングの中心部が差し込まれる柱状の胴部と、前記胴部の一側に設けられ、前記スプリングの一側を前記胴部に固定する突起と、前記胴部の一端に設けられ、前記スプリングが前記胴体から離脱しないように遮断するヘッドと、を備えることを特徴とする請求項２に記載の電動錠装置。
【請求項４】
請求項１に記載の電動錠装置の機能設定方法において、
前記結合ピンが前記ピン孔から分離された状態で、前記代替サムターンを回転させて前記第１のサムターンブロックを第２の位置に回転させることにより、機能設定を変更するステップと、
前記機能変更ステップの後に、前記結合ピンを前記連結孔を介して前記ピン孔に挿入して前記設定変更を固定するステップと、
前記設定変更を固定した後に、前記連結軸を前記連結孔に差し込んで前記手動錠と結合するステップと、を含み、
前記結合するステップは、前記設定変更を固定するステップの後に、スプリングを前記結合ピンに形成されたスプリング溝と前記連結軸との間にスプリングを挿入することにより、前記結合ピンが前記結合溝と貫通孔から離脱しないように支持することを特徴とする、
電動錠装置の機能設定方法。